(57)【要約】【課題】前回停止位置を確認できるとともに、映像ファイルの内容を容易に把握可能な映像ファイル表示方法および映像再生装置を提供する。【解決手段】代表サムネイル１５００ｆおよびレジュームサムネイル１５００ｒは、並べて表示され、代表サムネイル１５００ｆにはファイル名１５１ａとファイル情報１５１ｂが表示され、レジュームサムネイル１５００ｒには前回停止位置を表示するタイムバー１５００ｔが表示される。代表サムネイル１５００ｆを選択した場合は、映像ファイルの先頭より再生処理が実行され、レジュームサムネイル１５００ｒを選択した場合は、レジューム管理テーブルが呼び出され、映像ファイルのレジュームポイントより再生処理が実行される。【選択図】図６
2008010985.tif 000002
【特許請求の範囲】
【請求項１】
映像ファイルを検索する検索ステップと、
前記映像ファイルに関連づけられた代表シーンポイントとレジュームポイントを読み込む読込ステップと、
前記映像ファイルより前記代表シーンポイントのフレームと前記レジュームポイントのフレームを抽出する抽出ステップと、
前記代表シーンポイントのフレームを代表サムネイルとして表示するとともに、前記レジュームポイントのフレームをレジュームサムネイルとして表示する表示ステップとを有することを特徴とする映像ファイル表示方法。
【請求項２】
映像ファイルを検索する検索ステップと、
前記映像ファイルに関連づけられた代表シーンポイントとレジュームポイントを読み込む読込ステップと、
前記映像ファイルより代表シーンポイントのフレームと前記レジュームポイントのフレームを抽出する抽出ステップと、
前記代表シーンポイントのフレームを代表サムネイルとして表示するとともに、前記レジュームポイントのフレームをレジュームサムネイルとして表示する表示ステップと、
前記代表サムネイルを選択して再生処理した場合には、前記映像ファイルの先頭より前記映像ファイルを再生し、前記レジュームサムネイルを選択して再生処理した場合には、前記映像ファイルの前記レジュームポイントより前記映像ファイルを再生する再生ステップとを有することを特徴とする映像ファイル表示方法。
【請求項３】
前記表示ステップは、前記代表サムネイルと前記レジュームサムネイルとを並べて１つの映像ファイル表示として表示することを特徴とする請求項１または２に記載の映像ファイル表示方法。
【請求項４】
前記表示ステップは、前記映像ファイルが選択されていない場合は、前記代表サムネイルを表示し、前記映像ファイルが選択された場合は、前記レジュームサムネイルを表示することを特徴とする請求項１に記載の映像ファイル表示方法。
【請求項５】
前記表示ステップは、前記レジュームポイントに基づいた時間軸パラメータを作成して表示することを特徴とする請求項１または２に記載の映像ファイル表示方法。
【請求項６】
前記検索ステップは、内蔵する記憶媒体および外部の記憶媒体を読み込むことで前記映像ファイルを検索することを特徴とする請求項１または２に記載の映像ファイル表示方法。
【請求項７】
映像ファイルと前記映像ファイルの代表シーンポイントとレジュームポイントを記憶可能な記憶部と、
前記映像ファイルより前記代表シーンポイントのフレームと前記レジュームポイントのフレームを抽出するファイルシステム部と、
前記代表シーンポイントのフレームより代表サムネイルを作成し、前記レジュームポイントのフレームよりレジュームサムネイルを作成するとともに、前記代表サムネイルと前記レジュームサムネイルとを同時に表示部に表示するサムネイル表示部とを有することを特徴とする映像再生装置。
【請求項８】
前記ファイルシステム部は、ユーザーが前記代表サムネイルを選択して再生処理した場合には前記映像ファイルの先頭から再生し、前記レジュームサムネイルを選択した場合には前記映像ファイルの前記レジュームポイントより前記映像ファイルを再生することを特徴とする請求項７に記載の映像再生装置。
【発明の詳細な説明】
【技術分野】
【０００１】
本発明は、映像ファイルをファイル管理する際にサムネイルにて表示可能な映像ファイル表示方法および映像再生装置に関し、特に前回停止位置を確認できるとともに、映像ファイルの内容を容易に把握可能な映像ファイル表示方法および映像再生装置に関する。
【背景技術】
【０００２】
従来の技術として、映像ファイルのレジュームポイント（前回再生時の停止位置履歴）を容易に確認可能な映像再生装置がある（例えば、特許文献１）。
【０００３】
この映像再生装置によると、映像ファイルに関連づけてレジュームポイントを記憶するレジューム管理テーブルを記憶部に記憶しており、複数の映像ファイルを一覧表示する際にレジューム管理テーブルを呼び出して、各映像ファイルのレジュームポイントにおけるフレームをサムネイルとして表示することで、各映像ファイルの前回停止位置を容易に確認できる。また、映像ファイルを選択して再生することで、レジュームポイントより再生するため、続けて視聴するのに場面を検索する手間を省くことができる。
【特許文献１】特開２００５−１４２６１０号公報
【発明の開示】
【発明が解決しようとする課題】
【０００４】
しかし、従来の映像再生装置によると、映像ファイルのサムネイルとして表示するのはレジュームポイントにおけるフレームであるため、前回停止位置を把握するのには有効であるが、映像ファイルを代表するシーンではないため映像ファイルの内容を把握しづらい。
【０００５】
従って、本発明の目的は、前回停止位置を確認できるとともに、映像ファイルの内容を容易に把握可能な映像ファイル表示方法および映像再生装置を提供することにある。
【課題を解決するための手段】
【０００６】
（１）本発明は上記目的を達成するため、映像ファイルを検索する検索ステップと、前記映像ファイルに関連づけられた代表シーンポイントとレジュームポイントを読み込む読込ステップと、前記映像ファイルより前記代表シーンポイントのフレームと前記レジュームポイントのフレームを抽出する抽出ステップと、前記代表シーンポイントのフレームを代表サムネイルとして表示するとともに、前記レジュームポイントのフレームをレジュームサムネイルとして表示する表示ステップとを有することを特徴とする映像ファイル表示方法を提供する。
【０００７】
このような方法によれば、代表サムネイルとレジュームサムネイルを同時に表示したため、映像ファイルのレジュームポイントと内容を容易に把握できる。
【０００８】
（２）また、本発明は上記目的を達成するため、映像ファイルを検索する検索ステップと、前記映像ファイルに関連づけられた代表シーンポイントとレジュームポイントを読み込む読込ステップと、前記映像ファイルより代表シーンポイントのフレームと前記レジュームポイントのフレームを抽出する抽出ステップと、前記代表シーンポイントのフレームを代表サムネイルとして表示するとともに、前記レジュームポイントのフレームをレジュームサムネイルとして表示する表示ステップと、前記代表サムネイルを選択して再生処理した場合には、前記映像ファイルの先頭より前記映像ファイルを再生し、前記レジュームサムネイルを選択して再生処理した場合には、前記映像ファイルの前記レジュームポイントより前記映像ファイルを再生する再生ステップとを有することを特徴とする映像ファイル表示方法を提供する。
【０００９】
このような方法によれば、（１）の効果に加え、代表サムネイルとレジュームサムネイルにそれぞれのシーンに対応した再生位置を設定することで所望の再生位置を容易に選択可能となる。
【００１０】
（３）また、本発明は上記目的を達成するため、映像ファイルと前記映像ファイルの代表シーンポイントとレジュームポイントを記憶可能な記憶部と、前記映像ファイルより前記代表シーンポイントのフレームと前記レジュームポイントのフレームを抽出するファイルシステム部と、前記代表シーンポイントのフレームより代表サムネイルを作成し、前記レジュームポイントのフレームよりレジュームサムネイルを作成するとともに、前記代表サムネイルと前記レジュームサムネイルとを同時に表示部に表示するサムネイル表示部とを有することを特徴とする映像再生装置を提供する。
【００１１】
このような構成によれば、（１）の効果を有する映像再生装置が可能となる。
【発明の効果】
【００１２】
本発明によれば、レジュームポイントとともに映像ファイルの内容を容易に把握できる。
【発明を実施するための最良の形態】
【００１３】
以下に、本発明の映像ファイル表示方法および映像再生装置の実施の形態を、図面を参照して詳細に説明する。
【００１４】
（映像再生装置の構成）
図１は、本発明の実施の形態に関する映像再生装置の斜視図である。
【００１５】
この映像再生装置１は、本体部２０と可動部２１から構成され、ヒンジ部２１１により開閉自在に接続されている。本体部２０は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、文字やコマンドを入力するための文字入力部１４０と、ポインティングデバイスとしてのタッチパッド１４１および決定スイッチ１４２と、情報を記憶可能なメディアを読み取りおよび書き込み可能なメディアスロット１１０とを有する。可動部２１は、文字や画像等を表示する表示部１２を有する。
【００１６】
（映像再生装置の構成）
図２は、本発明の実施の形態に関する映像再生装置の概略構成図である。
【００１７】
この映像再生装置１は、情報処理の際に一時的に情報を記憶するメモリ１０と、メディアに記憶された映像ファイル１１１を読み込み可能なメディア記録再生部１１と、文字や画像を表示する表示部１２と、表示部１２の表示に関する制御を行う表示制御部１２Ａと、音声情報を出力する音声出力部１３と、映像再生装置１を操作し、図１に示す文字入力部１４０とタッチパッド１４１と決定スイッチ１４２とを含む操作部１４と、情報を磁気情報として記憶する記録部１５と、映像再生装置１の各部を統括し、動作させる制御部１６とを有する。
【００１８】
制御部１６は、映像ファイル１５０および映像ファイル１１１をファイル管理可能な映像ファイルブラウザ１６０を有し、映像ファイル１５０および映像ファイル１１１を映像管理情報１５２と関連づけて管理する。
【００１９】
記録部１５は、映像ファイル１５０と映像管理情報１５２を記憶する。映像ファイル１５０は、映像の動画情報と別に映像ファイルを識別するためのヘッダ情報１５１を含む。映像管理情報１５２は、映像ファイル１５０および映像ファイル１１１を以前視聴した際に停止した位置を履歴として記憶するレジューム管理テーブル１５２ａと、映像ファイル１５０のタイトルや記録時間や作者等の詳細情報を記憶する映像ファイル情報１５２ｂと、映像ファイル１１１のタイトルや記録時間や作者等の詳細情報を記憶する映像ファイル情報１５２ｂとを有する。
【００２０】
図３は、本発明の実施の形態に関する映像ファイルブラウザの概略構成図である。
【００２１】
映像ファイルブラウザ１６０は、制御部１６にて動作するソフトウェアであり、映像ファイル１５０と映像ファイル１１１と映像管理情報１５２とを読み込んでファイル管理するファイルシステム１６０ａと、ファイルシステム１６０ａで読み込んだ映像ファイルをサムネイル表示して表示部１２に出力するサムネイル表示モジュール１６０ｂと、操作部１４の操作に基づいて映像ファイルを選択する映像ファイル選択モジュール１６０ｃと、映像ファイル選択モジュール１６０ｃにて選択された映像ファイルを再生して表示部１２および音声出力部１３に出力する映像ファイル再生モジュール１６０ｄとを有する。
【００２２】
（映像ファイルの構成）
図４は、本発明の実施の形態に関する映像ファイルの概略構成図である。
【００２３】
映像ファイル１５０は、時間軸に沿ってフレーム１５０ａを並べることにより映像信号を構成している。一般的に、代表サムネイル１５００ｆは、ファーストフレーム１５０ｆをサムネイルの解像度に変更することで作成される。レジュームフレーム１５０ｒは、映像ファイル１５０を前回視聴した際に停止した位置をレジュームポイントとし、レジュームポイントのフレームであるレジュームフレーム１５０ｒをサムネイルの解像度に変更することで作成されている。
【００２４】
なお、代表サムネイル１５００ｆは、ファーストフレーム１５０ｆでなくとも代表シーンであるポイントのフレームを選択して作成してもよい。
【００２５】
また、ファイル名１５１ａ、ファイル情報１５１ｂ、およびタイムバー１５００ｔは、図６（ｂ）、（ｃ１）、（ｃ２）に示すサムネイル表示に追加して表示してもよい。
【００２６】
なお、映像ファイル１１１に関しても映像ファイル１５０と同様の構成を有する。
【００２７】
図５は、本発明の実施の形態に関するレジューム管理テーブルの例を示す概略構成図である。
【００２８】
レジューム管理テーブル１５２ａは、映像ファイル情報１５２ｂおよびメディアファイル情報１５２ｃの一部を用いて記述されたファイル情報と、ファイル情報と関連づけて該当する映像ファイルの停止位置履歴情報を記憶するレジューム情報とを有する。
【００２９】
図６（ａ）〜（ｃ２）は、本発明の実施の形態に関するサムネイル表示の例を示す概略構成図である。
【００３０】
図６（ａ）に示す例では、代表サムネイル１５００ｆおよびレジュームサムネイル１５００ｒは、並べて表示され、代表サムネイル１５００ｆにはファイル名１５１ａとファイル情報１５１ｂが表示され、レジュームサムネイル１５００ｒには前回停止位置を表示するタイムバー１５００ｔが表示される。
【００３１】
図６（ｂ）に示す例では、代表サムネイル１５００ｆの表示内に、代表サムネイル１５００ｆより小さくレジュームサムネイル１５００ｒが表示される。
【００３２】
図６（ｃ１）および（ｃ２）に示す例では、映像ファイル選択手段としてのポインタ１５００ｐによってサムネイルが選択されていない状態では、（ｃ１）に示すように代表サムネイル１５００ｆを表示し、ポインタ１５００ｐによってサムネイルが選択された状態では、（ｃ２）に示すようにレジュームサムネイル１５００ｒを表示する。
【００３３】
なお、図６に示したサムネイル表示は例であり、これらの表示形態をユーザーが選択して決定することができるようにしてもよい。
【００３４】
（動作）
以下に、本発明の実施の形態における映像再生装置の動作を図１から図７を参照しつつ説明する。
【００３５】
図７は、本発明の実施の形態に関する映像再生装置の動作を示すフローチャートである。
【００３６】
まず、映像ファイルブラウザ１６０を起動する（Ｓ１０）。次に、映像ファイルブラウザ１６０のファイルシステム１６０ａが記録部１５のレジューム管理テーブル１５２ａと映像ファイル情報１５２ｂとメディアファイル情報１５２ｃとを読み込む（Ｓ１１）。ファイルシステム１６０ａは、読み込んだ情報を基にサムネイル表示モジュール１６０ｂに送信し、サムネイル表示モジュール１６０ｂは表示部１２に映像ファイルの一覧をサムネイルで表示する（Ｓ１２）。
【００３７】
次に、操作部１４の操作に基づいて映像ファイル選択モジュール１６０ｃを動作させ、所望の映像ファイルを選択する（Ｓ１３）。この動作の際、例えば図６（ａ）に示す代表サムネイル１５００ｆを選択した場合は、映像ファイル再生モジュール１６０ｄにより映像ファイルの先頭より再生処理が実行される（Ｓ１４）。また、例えば図６（ａ）に示すレジュームサムネイル１５００ｒを選択した場合は、映像ファイル再生モジュール１６０ｄによりレジューム管理テーブル１５２ａが呼び出され、レジューム情報を読み込むことにより映像ファイルのレジュームポイントより再生処理が実行される（Ｓ１５）。
【００３８】
Ｓ１４またはＳ１５における再生処理が実行された後、停止処理もしくは電源オフ処理等の再生終了作業が行われた場合（Ｓ１６）、再生終了した映像ファイルの停止位置が映像の途中であれば（Ｓ１７；Ｙｅｓ）、レジュームポイントに変更が生じるためレジューム管理テーブル１５２ａのレジューム情報を更新する（Ｓ１８）。また、映像ファイルがすべて再生を終えて再生終了している場合は（Ｓ１７；Ｎｏ）、レジューム管理テーブル１５２ａのレジューム情報を０にリセットする（Ｓ１９）。
【００３９】
（実施の形態の効果）
上記した本発明の実施の形態によると、映像ファイルの代表シーンポイントのサムネイルである代表サムネイル１５００ｆの表示とともに、レジュームポイントのサムネイルであるレジュームサムネイル１５００ｒを表示したことにより、映像ファイルの一覧表示であるサムネイル表示のみでレジュームポイントと映像ファイルの内容を把握することができる。
【００４０】
また、代表サムネイル１５００ｆとレジュームサムネイル１５００ｒに、それぞれのシーンに対応した再生処理方法を実行させることで、所望のシーンからの再生が容易に可能となる。
【図面の簡単な説明】
【００４１】
【図１】本発明の実施の形態に関する映像再生装置の斜視図である。
【図２】本発明の実施の形態に関する映像再生装置の概略構成図である。
【図３】本発明の実施の形態に関する映像ファイルブラウザの概略構成図である。
【図４】本発明の実施の形態に関する映像ファイルの概略構成図である。
【図５】本発明の実施の形態に関するレジューム管理テーブルの例を示す概略構成図である。
【図６】（ａ）〜（ｃ２）は、本発明の実施の形態に関するサムネイル表示の例を示す概略構成図である。
【図７】本発明の実施の形態に関する映像再生装置の動作を示すフローチャートである。
【符号の説明】
【００４２】
１…映像再生装置、１０…メモリ、１１…メディア記録再生部、１２Ａ…表示制御部、１２…表示部、１３…音声出力部、１４…操作部、１５…記録部、１６…制御部、２０…本体部、２１…可動部、１１０…メディアスロット、１１１…映像ファイル、１４０…文字入力部、１４１…タッチパッド、１４２…決定スイッチ、１５０ａ…フレーム、１５０ｆ…ファーストフレーム、１５０ｒ…レジュームフレーム、１５０…映像ファイル、１５１…ヘッダ情報、１５１ａ…ファイル名、１５１ｂ…ファイル情報、１５２…映像管理情報、１５２ａ…レジューム管理テーブル、１５２ｂ…映像ファイル情報、１５２ｃ…メディアファイル情報、１６０…映像ファイルブラウザ、１６０ａ…ファイルシステム、１６０ｂ…サムネイル表示モジュール、１６０ｃ…映像ファイル選択モジュール、１６０ｄ…映像ファイル再生モジュール、２１１…ヒンジ部、１５００ｆ…代表サムネイル、１５００ｒ…レジュームサムネイル、１５００ｐ…ポインタ、１５００ｔ…タイムバー
【図１】
2008010985.tif 000003
【図２】
2008010985.tif 000004
【図３】
2008010985.tif 000005
【図４】
2008010985.tif 000006
【図５】
2008010985.tif 000007
【図６】
2008010985.tif 000008
【図７】
2008010985.tif 000009